【手続補正書】
【提出日】平成24年3月15日(2012.3.15)
【手続補正１】
【補正対象書類名】明細書
【補正対象項目名】０００９
【補正方法】変更
【補正の内容】
【０００９】
本発明の目的は、月日、および、スケジュール内容の項目を有するスケジュールデータのレコードを記憶するスケジュールデータベースを含む記憶装置と、
音声入力された信号をディジタル化したディジタルデータに基づいて、当該ディジタルデータに含まれる文字列を認識する言語解析手段と、
前記言語解析手段により認識された文字列にしたがって、前記スケジュールデータベースへのレコードの生成および格納を含むスケジュール登録を行なう登録手段と、
前記スケジュールデータベースのレコードの内容を表示する表示手段と、
前記表示手段と重ねられて配置されたタッチパネルと、
前記タッチパネルにおける接触位置を検出する位置検出手段と、
を備え、
前記表示手段に、少なくとも月日の入力エリアを含むスケジュール入力画像が表示され、前記位置検出手段が前記入力エリアに対応する位置への接触を検出し、前記言語解析手段が、時期に関連する所定の単語を認識した場合、前記登録手段が、前記認識された単語に基づく月日について、前記スケジュールデータベースを検索して、前記月日のスケジュールデータを見出し、前記スケジュールデータ中のスケジュール内容を含むスケジュール確認画像を生成して、前記表示手段に表示することを特徴とするスケジュール管理装置により達成される。
【手続補正２】
【補正対象書類名】明細書
【補正対象項目名】００１５
【補正方法】変更
【補正の内容】
【００１５】
別の好ましい実施態様においては、前記スケジュールデータは時刻の項目を含み、
前記スケジュール入力画像が、月日、時刻、スケジュール内容のスケジュール入力エリアを有し、
前記位置検出手段が、前記時刻の入力エリアに対応する位置への接触を検出した状態で、前記言語解析手段が、前記時刻に関する単語を認識した場合に、前記登録手段は、前記スケジュール入力画像の時刻の入力エリアに、前記認識された単語を入力し、
前記位置検出手段が、前記スケジュール内容の入力エリアに対応する位置への接触を検出した状態で、前記言語解析手段が、前記スケジュール内容に関する単語を認識した場合に、前記登録手段は、前記スケジュール入力画像のスケジュール内容の入力エリアに、前記認識された単語を入力する。
【手続補正３】
【補正対象書類名】明細書
【補正対象項目名】００１７
【補正方法】変更
【補正の内容】
【００１７】
また、本発明の目的は、月日、および、スケジュール内容の項目を有するスケジュールデータのレコードを記憶するスケジュールデータベースを含む記憶装置、表示手段および当該表示手段と重ねられて配置されたタッチパネルを備えたコンピュータに、
音声入力された信号をディジタル化したディジタルデータに基づいて、当該ディジタルデータに含まれる文字列を認識する言語解析ステップと、
前記言語解析手段により認識された文字列にしたがって、前記スケジュールデータベースへのレコードの生成および格納を含むスケジュール登録を行なうスケジュール登録ステップと、
前記スケジュールデータベースのレコードの内容を表示する表示ステップと、を実行させ
前記表示手段に、少なくとも月日の入力エリアを含むスケジュール入力画像が表示され、前記位置検出ステップにおいて、前記入力エリアに対応する位置への接触が検出し、前記言語解析ステップにおいて、時期に関連する所定の単語を認識した場合、前記登録ステップにおいて、前記認識された単語に基づく月日について、前記スケジュールデータベースを検索して、前記月日のスケジュールデータを見出し、前記スケジュールデータ中のスケジュール内容を含むスケジュール確認画像を生成して、前記表示手段に表示するように構成されたことを特徴とするスケジュール管理プログラムにより達成される。
【手続補正４】
【補正対象書類名】特許請求の範囲
【補正対象項目名】全文
【補正方法】変更
【補正の内容】
【特許請求の範囲】
【請求項１】
月日、および、スケジュール内容の項目を有するスケジュールデータのレコードを記憶するスケジュールデータベースを含む記憶装置と、
音声入力された信号をディジタル化したディジタルデータに基づいて、当該ディジタルデータに含まれる文字列を認識する言語解析手段と、
前記言語解析手段により認識された文字列にしたがって、前記スケジュールデータベースへのレコードの生成および格納を含むスケジュール登録を行なう登録手段と、
前記スケジュールデータベースのレコードの内容を表示する表示手段と、
前記表示手段と重ねられて配置されたタッチパネルと、
前記タッチパネルにおける接触位置を検出する位置検出手段と、
を備え、
前記表示手段に、少なくとも月日の入力エリアを含むスケジュール入力画像が表示され、前記位置検出手段が前記入力エリアに対応する位置への接触を検出し、前記言語解析手段が、時期に関連する所定の単語を認識した場合、前記登録手段が、前記認識された単語に基づく月日について、前記スケジュールデータベースを検索して、前記月日のスケジュールデータを見出し、前記スケジュールデータ中のスケジュール内容を含むスケジュール確認画像を生成して、前記表示手段に表示することを特徴とするスケジュール管理装置。
【請求項２】
前記登録手段が、前記認識された単語に基づく月日、および、当該月日に関連する１以上の他の月日について、前記スケジュールデータベースを検索して、前記月日および前記他の月日のスケジュールデータを見出し、前記スケジュールデータ中のスケジュール内容を含むスケジュール確認画像を生成することを特徴とする請求項１に記載のスケジュール管理装置。
【請求項３】
前記時期に関連する所定の単語として月日を認識した場合に、前記登録手段が、認識された月日および当該月日の前後所定範囲の月日について、前記スケジュールデータベースを検索することを特徴とする請求項２に記載のスケジュール管理装置。
【請求項４】
前記時期に関連する所定の単語として日付を認識した場合に、前記登録手段が、現在日付以降で直近の月日について、前記スケジュールデータベースを検索することを特徴とする請求項１に記載のスケジュール管理装置。
【請求項５】
前記時期に関連する所定の単語として日付を認識した場合に、前記登録手段が、現在日付以降で直近の月日、および、当該直近の月日より後の同一の日付を有する１以上の他の月日について、前記スケジュールデータベースを検索することを特徴とする請求項２に記載のスケジュール管理装置。
【請求項６】
前記位置検出手段が、前記スケジュール確認画像中の何れかの月日に対応する位置への接触を検出した状態で、入力エリアへの入力の指示を受け入れた場合に、前記登録手段は、前記スケジュール入力画像の月日の入力エリアに、前記接触された位置に対応する月日を入力することを特徴とする請求項１ないし５の何れか一項に記載のスケジュール管理装置。
【請求項７】
前記スケジュールデータは時刻の項目を含み、
前記スケジュール入力画像が、月日、時刻、スケジュール内容のスケジュール入力エリアを有し、
前記位置検出手段が、前記時刻の入力エリアに対応する位置への接触を検出した状態で、前記言語解析手段が、前記時刻に関する単語を認識した場合に、前記登録手段は、前記スケジュール入力画像の時刻の入力エリアに、前記認識された単語を入力し、
前記位置検出手段が、前記スケジュール内容の入力エリアに対応する位置への接触を検出した状態で、前記言語解析手段が、前記スケジュール内容に関する単語を認識した場合に、前記登録手段は、前記スケジュール入力画像のスケジュール内容の入力エリアに、前記認識された単語を入力することを特徴とする請求項６に記載のスケジュール管理装置。
【請求項８】
前記登録手段は、前記スケジュールデータベースへの登録の指示を受け入れた場合に、前記スケジュール入力画像の月日、時刻およびスケジュール内容の入力エリアの単語を含むスケジュールデータのレコードを生成し、前記スケジュールデータベースに格納することを特徴とする請求項７に記載のスケジュール管理装置。
【請求項９】
月日、および、スケジュール内容の項目を有するスケジュールデータのレコードを記憶するスケジュールデータベースを含む記憶装置、表示手段および当該表示手段と重ねられて配置されたタッチパネルを備えたコンピュータに、
音声入力された信号をディジタル化したディジタルデータに基づいて、当該ディジタルデータに含まれる文字列を認識する言語解析ステップと、
前記言語解析手段により認識された文字列にしたがって、前記スケジュールデータベースへのレコードの生成および格納を含むスケジュール登録を行なうスケジュール登録ステップと、
前記スケジュールデータベースのレコードの内容を表示する表示ステップと、を実行させ
前記表示手段に、少なくとも月日の入力エリアを含むスケジュール入力画像が表示され、前記位置検出ステップにおいて、前記入力エリアに対応する位置への接触が検出し、前記言語解析ステップにおいて、時期に関連する所定の単語を認識した場合、前記登録ステップにおいて、前記認識された単語に基づく月日について、前記スケジュールデータベースを検索して、前記月日のスケジュールデータを見出し、前記スケジュールデータ中のスケジュール内容を含むスケジュール確認画像を生成して、前記表示手段に表示するように構成されたことを特徴とするスケジュール管理プログラム。